(57)【要約】【課題】複数のレンズによって光の屈折と拡散作用を高めることにより電飾効果を向上させた遊技機における電飾装置を提供すること。【解決手段】遊技盤５０側に取り付けられるケース２内に、光源ランプ９を備えたプリント基板７と、大きさが同一若しくは異なる多数の小形凹凸レンズ部を所定のパターンにて配列した凹凸レンズ体１５と、透光性を有する中間枠部材２０とを順に配置し、その中間枠部材２０に形成された平坦な表面（平坦部２０ａ）と、光を拡散させるダイヤカット加工が表面の周縁部３０ａに施されたロックレンズ３０との間に透光性及び光拡散性を有する偏光フィルム２５を挟持するように介装してロックレンズ３０をケース２に固定した。【選択図】図２
2007185344.tif 000002
【特許請求の範囲】
【請求項１】
遊技盤の前面側に配置されて光源ランプから発する光をレンズ部に照射させるように設けられた遊技機における電飾装置であって、
遊技盤側に取り付けられるケース内に、前記光源ランプを備えたプリント基板と、大きさが同一若しくは異なる多数の小形凹凸レンズ部を所定のパターンにて配列した凹凸レンズ体と、透光性を有する中間枠部材とを順に配置し、その中間枠部材に形成された平坦な表面と光を拡散させる加工が所定箇所に施されたロックレンズとの間に透光性及び光拡散性を有する偏光フィルムを挟持するように介装して当該ロックレンズを前記ケースに固定したことを特徴とする遊技機における電飾装置。
【請求項２】
前記凹凸レンズ体は、表面と裏面に形成される前記凹凸レンズ部のパターンを同一とされ、かつ、表面と裏面における凹レンズ部と凸レンズ部の位置を異なるように設けられていることを特徴とする請求項１に記載の遊技機における電飾装置。
【発明の詳細な説明】
【技術分野】
【０００１】
本発明は、パチンコ機やパチスロ機等の遊技機における電飾装置に関するものである。
【背景技術】
【０００２】
例えば、パチンコ機においては、遊技盤に設置される図柄表示装置の液晶表示部や入賞装置等の装飾性を高めるために、それらの透光性を有する装飾カバー体やレンズ部材に発光ダイオードや小形ランプ等の光源から発する光を照射させて照明を施すようにした電飾装置が設けられている。
【０００３】
特開２００５−２０４７９７号公報には、遊技機の前面側に設けられた光源ランプと、光源ランプの前面側に設けられる光透過性を有するカバー部材と、カバー部材の表裏に貼付される光透過性及び光拡散性を有する一対の偏光フィルムと、カバー部材の表側の偏光フィルムを覆うようにカバー部材に取付けられるレンズ部材とから構成された発光飾り装置が開示されている。
【０００４】
また、特開２００２−３０６６８８号公報には、発光ダイオード等の光源を内部に備えた光拡散用レンズの周囲を覆うように透光性カバー体を設けた遊技機の電飾装置が開示されている。
【０００５】
上記何れの公報に記載された電飾装置においても、偏光フィルムをレンズ部材内に配置し若しくは光拡散用レンズを透光性カバー体内に配置した単純な構成とされているため、光の拡散作用に自ずと限界があってインパクトのある電飾効果に欠けると言えよう。
【特許文献１】特開２００５−２０４７９７号公報
【特許文献２】特開２００２−３０６６８８号公報
【発明の開示】
【発明が解決しようとする課題】
【０００６】
本発明の目的は、複数のレンズによって光の屈折と拡散作用を高めることにより電飾効果を向上させた遊技機における電飾装置を提供することにある。
【課題を解決するための手段】
【０００７】
前記目的を達成するために請求項１に記載した発明は、遊技盤の前面側に配置されて光源ランプから発する光をレンズ部に照射させるように設けられた遊技機における電飾装置であって、遊技盤側に取り付けられるケース内に、前記光源ランプを備えたプリント基板と、大きさが同一若しくは異なる多数の小形凹凸レンズ部を所定のパターンにて配列した凹凸レンズ体と、透光性を有する中間枠部材とを順に配置し、その中間枠部材に形成された平坦な表面と光を拡散させる加工が所定箇所に施されたロックレンズとの間に透光性及び光拡散性を有する偏光フィルムを挟持するように介装して当該ロックレンズを前記ケースに固定したことを特徴とする。
【０００８】
同様の目的を達成するために請求項２に記載した発明は、請求項１に記載の遊技機における電飾装置において、前記凹凸レンズ体は、表面と裏面に形成される前記凹凸レンズ部のパターンを同一とされ、かつ、表面と裏面における凹レンズ部と凸レンズ部の位置を異なるように設けられていることを特徴とするものである。
【発明の効果】
【０００９】
（請求項１の発明）
この遊技機における電飾装置は、凹凸レンズ体と偏光フィルムとロックレンズからなるレンズ群によって光源ランプから発せられる光の屈折と拡散作用を高める構成とすることにより、遊技者に対してインパクトのある光の演出を行うことができて優れた電飾効果を得ることができる。
【００１０】
（請求項２の発明）
この遊技機における電飾装置は、凹凸レンズ体の表面と裏面に形成される小形凹凸レンズ部の位置を異ならせて光源ランプから発せられる光の屈折と拡散作用を高めるようにしているので、電飾効果が一層向上する。
【発明を実施するための最良の形態】
【００１１】
以下に、本発明の最良の形態例を図面に基づいて説明する。図１は本発明に係る遊技機における電飾装置の正面図、図２は電飾装置の中央縦断側面図、図３は電飾装置の分解斜視図、図４は本発明にかかる遊技機における電飾装置を設置した遊技盤の正面図である。
【００１２】
図１に示す本発明に係る遊技機における電飾装置１は、後述する遊技盤５０の前面側に配置されて光源ランプ９から発する光を凹凸レンズ体１５と偏光フィルム２５とロックレンズ３０からなるレンズ群に照射させて演出効果に優れた電飾を施す概要構成とされている。
【００１３】
上記電飾装置１のケース２は、ＡＢＳ樹脂等のプラスチック材料によりハート形に形成され、外周面２ａのほぼ中間高さに複数の取付片３を設けると共に開口部２ｂの下方に高さの低いほぼＶ字形の位置決め用突片４を一体に設けている。５はケース２の底部２ｃに形成された配線のための穴である。また、その底部２ｃの左右上方位置には、図示しないネジ孔が形成されている。
【００１４】
７は発光ダイオードや豆ランプ等の多数の光源ランプ９を適宜配設したプリント基板である。図３に示すように、このプリント基板７は、取付穴８に通される図示しないビスによりケース２の底部２ｃ側に固定される。プリント基板７のコネクター１０はケース２の穴５に臨むように設けられている。なお、光源ランプ９としての発光ダイオードについては、赤色、緑色等の単色のもの又は赤色・緑色・青色の３種類のものを内蔵した多色発光ダイオードを演出効果を考慮して用いるのが好ましい。
【００１５】
１５はポリカーボネイト樹脂等のプラスチック材料によりハート形に形成された凹凸レンズ体である。この凹凸レンズ体１５は、正面から見てハート形のレンズ部分１５ａの周縁に後方に延びる所定高さの脚片１５ｂが一体に形成されている。そのレンズ部分１５ａの表面と裏面には、大きさの異なる多数の凹レンズ部１６ａと凸レンズ部１６ｂを所定のパターンにて同様に配列し、かつ、表面と裏面における凹レンズ部１６ａと凸レンズ部１６ｂの位置を異ならせるように設けられている。１７，１７は凹凸レンズ体１５の左右上部に形成された後記ビス３５を通すための溝である。
【００１６】
２０はポリカーボネイト樹脂等の無色透明のプラスチック材料によりハート形に形成された透光性を有する中間枠部材である。この中間枠部材２０は、正面から見てハート形の平坦部２０ａの周縁に後方に延びる所定高さの脚片２０ｂが一体に形成され、その平坦部２０ａの下方に、前記ケース２の位置決め用突片４の内面に係合可能とされたほぼＶ字形の突片２１が一体に設けられている。２２，２２は中間枠部材２０の左右上部に形成されたビス３５を通すための溝である。
【００１７】
２５はハート形に形成された透光性及び光拡散性を有する偏光フィルムである。この偏光フィルム２５は、光拡散性を高めるために複数のフレネルレンズ（図示せず）を近接させて配設している。２６，２６は偏光フィルム２５の左右上部に形成されたビス３５を通すための溝である。
【００１８】
なお、偏光フィルムについては、上記フレネルレンズに限定されることなく光拡散作用を生じさせる他のレンズ形態等とすることもできるので、偏光フィルムを交換することにより装飾効果を変えることが可能である。ところで、光の拡散作用に変化を与えるためにプラスチック製レンズを変更する場合には、新たに金型を製作しなければならないので製造コストが高くつくが、偏光フィルムの場合には、各種偏光フィルム素材を打抜き加工するだけで様々な光の拡散パターンを容易に製作することができる利点がある。
【００１９】
３０はアクリル樹脂等の無色透明のプラスチック材料によりハート形に形成された透光性を有する所定厚さのロックレンズである。このロックレンズ３０には、表面の周縁部３０ａに光を拡散させるためのダイヤカット形状の加工を施している。３１，３１はロックレンズ３０の左右上部に形成されたビス３５を通すための溝である。
【００２０】
しかして、ケース２内に取付けられたプリント基板７の上から凹凸レンズ体１５、中間枠部材２０を順に収めて中間枠部材２０の平坦部２０ａとロックレンズ３０との間に偏光フィルム２５を挟持するように介装した状態にて、ロックレンズ３０の溝３１から通したビス３５を締付けてロックレンズ３０をケース２に固定することにより本発明にかかる電飾装置１が構成される。
【００２１】
つぎに、かかる構成になる本発明の遊技機における電飾装置１の作用について述べる。
パチンコ機側のランプ制御信号がプリント基板７に設けられた電子回路に出力されることによって多数の光源ランプ９が点灯し、光源ランプ９から発せられる光は凹凸レンズ体１５に照射されてレンズ部分１５ａにより屈折・拡散しつつ透過し、偏光フィルム２５のフレネルレンズによってさらに四方へ拡散しつつ透過してロックレンズ３０を通過する。しかして、凹凸レンズ体１５と偏光フィルム２５とロックレンズ３０からなるレンズ群によって光源ランプ９から発せられる光の屈折と拡散作用が大いに高められるので、演出効果に優れた電飾を施すことができる。
【００２２】
図４に示すように、本発明に係る遊技機における電飾装置１は、遊技盤５０の誘導レール５１で囲まれる遊技領域ｒに設置される図柄表示装置５２の飾り枠部材５３等に取付けられて装飾の一部を担うように設けられる。図中、５５は障害釘、５６は入賞装置、５７は可変入賞装置、５８は飾り部材である。
【００２３】
以上に述べた通り、この遊技機における電飾装置は、凹凸レンズ体と偏光フィルムとロックレンズからなるレンズ群によって光源ランプから発せられる光の屈折と拡散作用を高める構成とすることにより、遊技者に対してインパクトのある光の演出を行うことができて優れた電飾効果を得ることができる。
【図面の簡単な説明】
【００２４】
【図１】本発明に係る遊技機における正面図
【図２】電飾装置の中央縦断側面図
【図３】電飾装置の分解斜視図
【図４】本発明にかかる遊技機における電飾装置を設置した遊技盤の正面図
【符号の説明】
【００２５】
１・・・電飾装置
２・・・ケース
７・・・プリント基板
９・・・光源ランプ
１５・・・凹凸レンズ体
１６ａ・・・凹レンズ部
１６ｂ・・・凸レンズ部
２０・・・中間枠部材
２５・・・偏光フィルム
３０・・・ロックレンズ
５０・・・遊技盤
【図１】
2007185344.tif 000003
【図２】
2007185344.tif 000004
【図３】
2007185344.tif 000005
【図４】
2007185344.tif 000006